(57)【要約】      （修正有）【課題】容器が撓んでも、蓋がずれたり外れたりすることを可及的に防止できるシャリ塊搬送容器を提供する。【解決手段】シャリ塊搬送容器は、上面に開口部を設けるとともに、シャリ塊を収納するための複数の凹部６を設けた容器本体１と、前記開口部を開閉する蓋体７とを備える。さらに、前記容器本体は、複数の凹部を設けた底部３と、該底部の外周から上向きに周設された本体周壁部４とを一体に成形して成る。前記本体周壁部には複数個の突起部５が形成され、前記蓋体は、複数の凹部を設けた天部８と、該天部の外周縁から外向きに周設された蓋フランジ部１０とを一体に成形する。また、容器本体の底部３に凸部を、蓋体の天部に該凸部と嵌合する嵌合凹部９を少なくとも一箇所設けた。【選択図】図６
0003166359.tif 000002
【実用新案登録請求の範囲】
【請求項１】
上面に開口部（２）を設けるとともに、シャリ塊を収納するための複数の凹部（６）を設けた容器本体（１）と、前記開口部（２）を開閉する蓋体（７）とを備えた搬送容器であって、
前記容器本体（１）は、複数の凹部（６）を設けた底部（３）と、該底部（３）の外周から上向きに周設された本体周壁部（４）とを一体に成形したものであり、前記本体周壁部（４）には複数個の突起部（５）が形成され、
前記蓋体（７）は、複数の凹部（９）を設けた天部（８）と、該天部（８）の外周縁から外向きに周設された蓋フランジ部（１０）とを一体に成形したことを特徴とするシャリ塊搬送容器。
【請求項２】
突起部（５）が本体周壁部（４）の全周面にわたり設けられた、請求項１記載のシャリ塊搬送容器。
【請求項３】
容器本体（１）の底部（３）に凸部（１１）を、蓋体（７）の天部（８）に該凸部（１１）と嵌合する嵌合凹部（１２）を少なくとも一箇所設けた請求項１又は２に記載のシャリ塊搬送容器。
【考案の詳細な説明】
【技術分野】
【０００１】
本考案は、握り寿司に用いるシャリ塊を安定的に包装・搬送するための容器に関するものである。
【背景技術】
【０００２】
特開２００６−１０１８７８号公報には、シャリ塊が納まる第１の収納部と、該第１の収納部の上部に寿司ネタが納まる拡径した第２の収納部を一連に形成し、該拡径した第２の収納部の上縁にフランジ部を形成し、蓋を被せるようにした包装用容器が開示されている。
【０００３】
実開平６−１９４９６号公報には、シャリ塊の形状に合わせた凹部を複数設けた包装用容器が開示されている。
【先行技術文献】
【特許文献】
【０００４】
【特許文献１】特開２００６−１０１８７８号公報
【特許文献２】実開平６−１９４９６号公報
【考案の概要】
【考案が解決しようとする課題】
【０００５】
回転寿司店等では、他所で製造されたシャリ塊を専用の容器に収納して搬入し、店舗で当該シャリ塊にネタを載せて供給することが行われることがある。
【０００６】
係る工程におけるシャリ塊専用の搬送容器は、トレー状の容器にシャリ塊の形状に合わせた凹部を複数設けたものを使用する。当該凹部にシャリ塊を収納し、塵の侵入や乾燥を防止するため、蓋をかぶせて搬送するものである。
【０００７】
ところが、多数のシャリ塊を収納すると、シャリ塊の重みで容器が撓み、蓋がずれたり外れてしまうことがある。かかる事態が生じると、塵が内部に侵入したり、シャリ塊が凹部から飛び出す恐れがある。
【０００８】
そこで本考案は容器が撓んでも、蓋がずれたり外れたりすることを可及的に防止できるシャリ塊搬送容器を提供することを目的とする。
【課題を解決するための手段】
【０００９】
上記の目的を達成する本発明の構成は次の通りである。
【００１０】
（１）  請求項１に係るシャリ塊搬送容器は、上面に開口部を設けるとともに、シャリ塊を収納するための複数の凹部を設けた容器本体と、前記開口部を開閉する蓋体とを備えた搬送容器であって、前記容器本体は、複数の凹部を設けた底部と、該底部の外周から上向きに周設された本体周壁部とを一体に成形したものであり、前記本体周壁部には複数個の突起部が形成され、前記蓋体は、複数の凹部を設けた天部と、該天部の外周縁から外向きに周設された蓋フランジ部とを一体に成形した。
【００１１】
（２）  請求項２に係るシャリ塊搬送容器は、請求項1記載の考案において、突起部を本体周壁部の略全周面にわたり設けた。
【００１２】
（３）  請求項３に係るシャリ塊搬送容器は、請求項１又は２に記載のシャリ塊搬送容器において、容器本体の底部に凸部を、蓋体の天部に該凸部と嵌合する嵌合凹部を少なくとも一箇所設けた。
【考案の効果】
【００１３】
上記のように構成される本考案が、如何にして課題を解決する作用を有するかを、図面を参照しながら概説する。
【００１４】
図６は、蓋体７を容器本体１に被せた状態を示している。図示されるように、蓋体１の外周縁を形成する蓋フランジ部１０は、容器本体１の本体周壁部４に設けた突起部５の下部に係止される。
【００１５】
凹部６内にシャリ塊を収納した状態では、容器本体１は下方に撓むが、この撓みに伴い突起部５は内斜め下方へ弧状に移動する。かかる移動に伴い突起部５は蓋フランジ部１０を押さえつけることになる。つまりは、容器本体１が撓んでも、蓋体７が外れることを可及的に防ぐことが可能となるのである。
【００１６】
更には、請求項３記載の考案に於いては、蓋体７を容器本体１に被せた状態では、図７に示すように凸部１１が蓋体７に設けた嵌合凹部１２に嵌合される。この嵌合により、蓋体７が容器本体１により強固に固定されることになる。すなわち、撓みより蓋体７が外れてしまう、或いは浮き上がってしまうことを防ぐことが可能となるのである。
【図面の簡単な説明】
【００１７】
【図１】容器本体の正面図。
【図２】同Ａ−Ａ線断面図。
【図３】蓋体の正面図。
【図４】同Ｂ−Ｂ線断面図。
【図５】請求項２記載の考案に於ける容器本体の正面図。
【図６】蓋体が突起部に係合している状態を示す要部拡大断面図。
【図７】容器本体の凸部が蓋体の凹部に嵌合している状態を示す要部拡大断面図。
【考案を実施するための形態】
【００１８】
以下、好ましい考案の一実施形態につき詳述する。
【００１９】
本考案に係るシャリ塊搬送容器は、上面に開口部２を設けた容器本体１と、前記開口部２を開閉する蓋体７とを備えたものである。
【００２０】
容器本体１は、図１，図２に示されるように、角部を円弧状にしたほぼ四角形状の底部３と、この底部３の外周から上向きに周設された本体周壁部４と、底部３に複数個設けられた凹部６・・を一体に成形したものである。本体周壁部４の上端縁から外向きに、本体外側フランジ部１３を適宜周設しても構わない。
【００２１】
本体周壁部４の四隅の角部近傍及び各片の中央部には、突起部５・・が設けられている。突起部５を設ける位置は前記位置に限定を受けるものではなく、蓋体７を係止することが可能であれば任意位置で構わない。請求項２記載の考案に於いては、図５に示されるように本体周壁部４の略全周にわたり突起部５が設けてある。
【００２２】
底部３には図１に示されるように、その中央部近傍に四箇所凸部１１・・が設けてある。むろん個数や位置はかかる限定を受けるものではなく、少なくとも一箇所、蓋体７と嵌合することにより、効果的に蓋体７が外れることを防止できる位置に設ければよい。
【００２３】
蓋体７は図３，図４に示されるように、角部を円弧状にしたほぼ四角形状の天部８と、天部８の外周縁から外向きに周設された蓋フランジ部１０と、天部８に複数個設けられた凹部９・・を一体に成形したものである。
【００２４】
凹部９・・は、蓋体７を容器本体１に被せた状態で、容器本体１に設けた凹部６・・と対称位置に来るように設けてある。
【００２５】
天部８には図３に示されるように、その中央部近傍に四箇所嵌合凹部１２・・が設けてある。むろん個数や位置はかかる限定を受けるものではなく、少なくとも一箇所、容器本体１に設けた凸部１１と嵌合可能位置に設ければよい。
【００２６】
容器本体１、蓋体７は、熱可塑性樹脂シート、熱可塑性樹脂フィルム同士の積層シートあるいは熱可塑性樹脂フィルムと金属箔との積層シート等の熱可塑性樹脂材料を用い、好ましくは真空成形、真空・圧空成形あるいは熱盤成形等のプレス成形法により製造される。
【符号の説明】
【００２７】
１・・容器本体
２・・開口部
３・・底部
４・・本体周壁部
５・・突起部
６・・凹部（容器本体）
７・・蓋体
８・・天部
９・・凹部（蓋体）
１０・・蓋フランジ部
１１・・凸部
１２・・嵌合凹部
１３・・本体外側フランジ部
【図１】
0003166359.tif 000003
【図２】
0003166359.tif 000004
【図３】
0003166359.tif 000005
【図４】
0003166359.tif 000006
【図５】
0003166359.tif 000007
【図６】
0003166359.tif 000008
【図７】
0003166359.tif 000009